(57)【要約】【課題】省令準耐火構造を構成できる出隅部を形成することが可能な石膏ボードの提供を目的とする。【解決手段】一方の面と、一方の面の反対側に位置する他方の面とを有しており、  少なくとも一方の面の１つの辺を含む角部に面取りを施した曲面部を有する石膏系建材を提供する。【選択図】図１
2014234639.tif 000002
【特許請求の範囲】
【請求項１】
一方の面と、一方の面の反対側に位置する他方の面とを備えた板状形状を有しており、
少なくとも一方の面の１つの辺を含む角部に面取りを施した曲面部を有する石膏系建材。
【請求項２】
前記一方の面の１つの辺と垂直な断面において、前記曲面部が１／４円弧形状を有する請求項１に記載の石膏系建材。
【請求項３】
前記曲面部において、芯材である石膏硬化体が露出している請求項１または２に記載の石膏系建材。
【請求項４】
一の石膏系建材と、他の石膏系建材とを備え、
前記一の石膏系建材が請求項１乃至３いずれか一項に記載の石膏系建材であり、
前記他の石膏系建材が板状形状を有しており、
前記一の石膏系建材の前記曲面部が設けられた端部の他方の面に、前記他の石膏系建材の端部側面を突き合わせて形成された出隅部構造。
【請求項５】
一の石膏系建材と、他の石膏系建材とを備え、
前記一の石膏系建材が請求項１乃至３いずれか一項に記載の石膏系建材であり、
前記他の石膏系建材が板状形状を有しており、
前記一の石膏系建材の前記曲面部が設けられた端部の他方の面に、前記他の石膏系建材の端部側面を突き合わせて形成されたコーナー部材。
【請求項６】
扇柱形状を有する石膏系建材。
【請求項７】
一の石膏系建材と、他の石膏系建材と、請求項６に記載の石膏系建材とを備え、
前記一の石膏系建材及び前記他の石膏系建材は板状形状を有しており、
前記一の石膏系建材の端部と、前記他の石膏系建材の端部とが、一辺で接し、
前記一の石膏系建材の端部と、前記他の石膏系建材の端部と、で挟まれた空間に、請求項６に記載の石膏系建材が配置された出隅部構造。
【請求項８】
請求項６に記載の石膏系建材を含むコーナー部材。
【発明の詳細な説明】
【技術分野】
【０００１】
本発明は、石膏系建材、出隅部構造、コーナー部材に関するものである。
【背景技術】
【０００２】
従来から石膏ボード、強化石膏ボード、普通硬質石膏ボード、ガラスマット石膏ボード、ガラス繊維不織布入石膏板、スラグ石膏板等の石膏系建材は、防耐火性、遮音性、施工性及び経済性等の優れた性能を有することから建築物の壁面等に広く用いられている。
【０００３】
石膏系建材は通常、板状形状を有している。このため、石膏系建材により建物の出隅部を形成する場合、２枚の石膏系建材の端部を突き合わせ、両者を接着することにより略直角な形状の出隅部が形成される。
【０００４】
しかし、近年、室内の雰囲気を柔らかくすることや、室内のデザイン性を向上させる等を目的として、出隅部の角部を曲面形状とすることが求められる場合がある。
【０００５】
出隅部の角部を曲面形状とするため、例えば、特許文献１には、一対の板部材が突き合されて形成されるコーナー部に設けられて、当該板部材の交差状態で相対向する端面同士に挟まれた空間を覆うコーナー部材が提案されている。該コーナー部材は、一対の板部材の各端面にそれぞれ隣接する外表面端部を覆う一対の突出部と、これら一対の突出部を連結して一対の板部材の各端面間の空間を局面で覆う曲面部とを有しており、熱硬化性エラストマ、熱可塑性エラストマ等により形成されている。
【０００６】
また、石膏系建材に曲面を形成する方法として、石膏系建材の裏面に、石膏系建材の湾曲させる方向と垂直な複数のスリットを形成し、湾曲させる方法も知られている。
【先行技術文献】
【特許文献】
【０００７】
【特許文献１】特開平１０−３２５２２６号公報
【発明の概要】
【発明が解決しようとする課題】
【０００８】
ところで、例えば住宅金融支援機構が定める省令準耐火構造の住宅と認定されるには、室内が石膏系建材で囲われている必要がある。しかしながら、特許文献１で提案されたコーナー部材は熱硬化性エラストマ等の耐火性を有さない材料により形成されている。さらに、板部材同士はコーナー部材を設置するコーナー部を形成するため一辺で接しているのみであることから、該コーナー部材により形成した出隅部を含む建物は省令準耐火構造の住宅と認定されない可能性があるという問題があった。このため、特許文献１に提案されているコーナー部材を用いた出隅部を採用できる用途は限られていた。
【０００９】
また、石膏系建材の裏面に複数のスリットを形成する曲面形成方法では出隅部に要求される曲面を形成することは困難であった。また、スリットを形成した石膏系建材を、施工現場で曲面に形成する作業は煩雑であり、さらには均一な曲面形状を再現することが困難であった。
【００１０】
上記のように均一な曲面形状を再現することは困難であることから、曲面形状を諦め、２枚の石膏系建材の端部を突き合わせて形成した略垂直な形状の出隅部の角部について、平面によって面取り加工を行うことも考えられる。しかし、施工現場で面取り加工を行う作業が煩雑であり。さらに面取りを行った部分は局所的に石膏系建材の厚みが不足するため耐火性能上の欠損部となる問題があった。
【００１１】
本発明は上記従来技術の問題点に鑑み、省令準耐火構造を構成できる出隅部を形成することが可能な石膏系建材の提供を目的とする。
【課題を解決するための手段】
【００１２】
上記課題を解決するため本発明は、一方の面と、一方の面の反対側に位置する他方の面とを備えた板状形状を有しており、
少なくとも一方の面の１つの辺を含む角部に面取りを施した曲面部を有する石膏系建材を提供する。
【発明の効果】
【００１３】
本発明の石膏系建材によれば、省令準耐火構造を構成できる出隅部を形成することが可能になる。
【図面の簡単な説明】
【００１４】
【図１】本発明の第１の実施形態に係る石膏系建材の構成例の説明図。
【図２】本発明の第１の実施形態に係る石膏系建材の他の構成例の説明図。
【図３】本発明の第１の実施形態に係る出隅部構造の構成例の説明図。
【図４】本発明の第１の実施形態に係る出隅部構造の他の構成例の説明図。
【図５】本発明の第１の実施形態に係るコーナー部材の構成例の説明図。
【図６】本発明の第２の実施形態に係る石膏系建材の構成例の説明図。
【図７】本発明の第２の実施形態に係る出隅部構造の構成例の説明図。
【図８】本発明の第２の実施形態に係るコーナー部材の構成例の説明図。
【図９】本発明の第２の実施形態に係るコーナー部材の他の構成例の説明図。
【発明を実施するための形態】
【００１５】
以下、本発明を実施するための形態について説明するが、本発明は、下記の実施形態に制限されることはなく、本発明の範囲を逸脱することなく、下記の実施形態に種々の変形および置換を加えることができる。
［第１の実施形態］
（石膏系建材）
本実施形態の石膏系建材について説明する。
【００１６】
本実施形態の石膏系建材は、一方の面と、一方の面の反対側に位置する他方の面とを備えた板状形状を有しており、少なくとも一方の面の１つの辺を含む角部に面取りを施した曲面部を有する。
【００１７】
具体的な構成について、図１を用いて説明する。
【００１８】
図１は本実施形態の石膏系建材の構成例を示したものである。
【００１９】
図１に示すように、本実施形態の石膏系建材１０は一方の面１１１と、一方の面の反対側に位置する他方の面１１２とを有している。そして、少なくとも一方の面１１１の１つの辺１２を含む角部に面取りを施した曲面部１３を有している。
【００２０】
本実施形態の石膏系建材１０においては、図１に示すように、一方の端部に曲面部１３を有しているため、該一方の端部の他方の面に他の石膏系建材の側面部を突き当てて接着することにより、容易に曲面形状を有する出隅部を形成できる。
【００２１】
本実施形態の石膏系建材１０としては、特に限定されるものではないが、例えば、石膏ボード、強化石膏ボード、普通硬質石膏ボード、ガラスマット石膏ボード、ガラス繊維不織布入石膏板、スラグ石膏板等を挙げることができる。中でも表面が被覆されていないガラス繊維不織布入石膏板やスラグ石膏板は意匠性に優れている点で好ましい。
【００２２】
石膏系建材１０の比重は特に限定されるものではないが、比重が大きいものの方が曲面部の欠けを抑制できるため好ましい。具体的には例えば比重０．８以上であることが好ましい。より好ましくは比重１．０以上であり、特に十分な曲面部の欠けを抑制する効果を得られる。また、ガラス繊維等の補強材を石膏系建材１０に配合させておくことにより、曲面形状部の欠けを抑制することもできる。
【００２３】
石膏系建材１０のサイズは特に限定されるものではなく、施工する場所等に応じた任意のサイズとすることができる。
【００２４】
図１に示すように本実施形態の石膏系建材１０は、一方の面１１１と、一方の面の反対側に位置する他方の面１１２とを有している。そして、少なくとも一方の面の１つの辺１２を含む角部に面取りを施した曲面部１３を有している。
【００２５】
この際、面取りを施すのは一方の面１１１の１つの辺１２に限定されるものではなく、出隅部が形成される部分に応じて複数の箇所に面取りを施した曲面部を設けることもできる。具体的には例えば、図２に示した石膏系建材２０のように、一方の面１１１の辺１２に対向する辺１４に同様に面取りを施して、（第１の）曲面部１３に加えて、第２の曲面部２１を設けることもできる。
【００２６】
曲面部１３、２１の形状については特に限定されるものではなく、後述する出隅部構造や、コーナー部材を構成した場合の角部に要求される形状にあわせた形状とすることができる。具体的には例えば、面取りを施した角部に含まれる、一方の面１１１の１つの辺１２と垂直な断面、すなわち、図１、２における面１５において、曲面部１３、２１が１／４円弧形状を有することが好ましい。曲面部１３、２１の形状を１／４円弧形状とすることにより、出隅部構造やコーナー部材を構成した場合に、角部を特に適切な曲面形状にでき、かつ、曲面部の石膏系建材の厚み（１／４円弧形の半径）が局所的に不足し、耐火性能上の欠損部となる心配もない。
【００２７】
曲面部１３、２１の形成方法は特に限定されるものではないが、選択された辺１２、辺１４を含む角部について、研削、研磨を行うことにより面取りを行い、曲面部１３、２１を形成することができる。
【００２８】
石膏系建材は、例えば石膏ボードの場合、ボード原紙により芯材である石膏硬化体の表面が被覆されているが、本実施形態の石膏系建材の曲面部は研削、研磨して形成されるため、曲面部１３、２１においては、芯材である石膏硬化体が露出している。このため、本実施形態の石膏系建材においては、石膏硬化体が露出した部分、すなわち曲面部に、例えばプライマー等を塗布しておくことが好ましい。プライマーを石膏硬化体が露出した部分に塗布することにより、石膏硬化体の露出した部分が削れることを防止し、石膏系建材の表面にクロス（壁紙）等を貼る際にクロスとの接着性を高めることができる。
【００２９】
以上に説明した本実施形態の石膏系建材によれば、省令準耐火構造を構成できる出隅部を形成することが可能になる。
（出隅部構造）
本実施形態の出隅部構造の構成例について説明する。
【００３０】
本実施形態の出隅部構造は、一の石膏系建材と、他の石膏系建材とを備えている。ここで、一の石膏系建材が上述した石膏系建材であり、他の石膏系建材が板状形状を有している。そして、一の石膏系建材の曲面部が設けられた端部の他方の面に、他の石膏系建材の端部側面を突き合わせて形成された構造を有している。
【００３１】
具体的な構造について、図３、４を用いて説明する。
【００３２】
図３に示すように、本実施形態の出隅部構造３０は、一の石膏系建材１０と、他の石膏系建材３１とを備えている。
【００３３】
一の石膏系建材１０は図１に示した石膏系建材であり、一方の面１１１の１つの辺１２を含む角部に面取りを施した曲面部１３を有している。
【００３４】
また、他の石膏系建材３１は、板状形状を有しており、一の石膏系建材１０と突き合わせる端部については、図３に示したように平面形状を有していることが好ましい。
【００３５】
他の石膏系建材３１の種類は特に限定されるものではない。例えば、石膏ボード、強化石膏ボード、普通硬質石膏ボード、ガラスマット石膏ボード、ガラス繊維不織布入石膏板、スラグ石膏板等を用いることができる。中でも表面が被覆されていないガラス繊維不織布入石膏板やスラグ石膏板は意匠性に優れている点で好ましい。なお、一の石膏系建材２０と、他の石膏系建材３１は、同じ種類の石膏系建材であっても良く、異なる種類の石膏系建材により構成されていてもよい。
【００３６】
そして、一の石膏系建材１０の曲面部１３が設けられた端部の他方の面１１２に、他の石膏系建材３１の端部側面を突き合わせている。すなわち、一の石膏系建材１０の曲面部１３が設けられた１つの辺を含む端部の他方の面１１２側に、他の石膏系建材３１の端部側面を突き合わせている。これにより出隅部構造３０の角部分を曲面形状とすることができる。
【００３７】
一の石膏系建材１０と、他の石膏系建材３１と、を接着する方法は特に限定されるものではないが、接着材により接着することができ、接着材としては例えば、酢酸ビニル樹脂系エマルション接着材や無機系接着材等を好ましく用いることができる。この場合、酢酸ビニル樹脂系エマルション接着材としては例えば吉野サクビボンド（商品名）等を、無機系接着材としてはトラボンド（登録商標）等を好ましく用いることができる。
【００３８】
以上に説明した本実施形態の出隅部構造３０においては、一の石膏系建材１０と他の石膏系建材３１とが面で接しており、かつ耐火物により構成されるため、係る出隅部構造は省令準耐火構造を構成することができる。
【００３９】
また、他の構成例を図４に示す。
【００４０】
図４に示した出隅部構造４０においても一の石膏系建材２０と、他の石膏系建材３１、４１とを備えている。
【００４１】
一の石膏系建材２０は図２に示した石膏系建材であり、一方の面１１１の辺１２、１４を含む角部に面取りを施した曲面部１３、２１を有している。
【００４２】
また、他の石膏系建材３１、４１は、板状形状を有しており、一の石膏系建材１０とつき合わせる端部については、図４に示したように平面形状を有していることが好ましい。
【００４３】
他の石膏系建材３１、４１の種類は特に限定されるものではない。例えば、石膏ボード、強化石膏ボード、普通硬質石膏ボード、ガラスマット石膏ボード、ガラス繊維不織布入石膏板、スラグ石膏板等を用いることができる。中でも表面が被覆されていないガラス繊維不織布入石膏板やスラグ石膏板は意匠性に優れている点で好ましい。なお、一の石膏系建材２０と、他の石膏系建材３１、４１は、同じ種類の石膏系建材であっても良く、異なる種類の石膏系建材により構成されていてもよい。
【００４４】
そして、一の石膏系建材１０の曲面部１３、２１が設けられた端部の他方の面１１２に、他の石膏系建材３１、４１の端部側面を突き合わせている。すなわち、曲面部が設けられた辺１２、１４を含む端部の他方の面１１２側に、他の石膏系建材３１、４１の端部側面を突き合わせている。これにより、出隅部構造４０は２つの角部を含み、それぞれの角部において角部分を曲面形状とすることができる。また、本実施形態の出隅部構造４０においては、一の石膏系建材２０と他の石膏系建材３１、４１とがそれぞれ面で接しており、且つ耐火物により構成されるため、係る出隅部構造は省令準耐火構造を構成することができる。
（コーナー部材）
本実施形態のコーナー部材について説明する。
【００４５】
本実施形態のコーナー部材は、一の石膏系建材と、他の石膏系建材とを備えている。ここで、一の石膏系建材が上述した石膏系建材であり、他の石膏系建材が板状形状を有している。そして、一の石膏系建材の曲面部が設けられた端部の他方の面に、他の石膏系建材の端部側面を突き合わせて形成されている。
【００４６】
具体的な構成例について、図５を用いて説明する。
【００４７】
図５に示すように、本実施形態のコーナー部材５０は、一の石膏系建材１０と、他の石膏系建材５１とを備えている。
【００４８】
一の石膏系建材１０は、上述した石膏系建材であり、一方の面１１１の１つの辺１２を含む角部に面取りを施した曲面部１３を有している。
【００４９】
また、他の石膏系建材５１は、板状形状を有しており、一の石膏系建材１０と突き合わせる端部については、図５に示したように平面形状を有していることが好ましい。
【００５０】
他の石膏系建材５１の種類は特に限定されるものではない。例えば、石膏ボード、強化石膏ボード、普通硬質石膏ボード、ガラスマット石膏ボード、ガラス繊維不織布入石膏板、スラグ石膏板等を用いることができる。中でも表面が被覆されていないガラス繊維不織布入石膏板やスラグ石膏板は意匠性に優れている点で好ましい。なお、一の石膏系建材１０と、他の石膏系建材５１は、同じ種類の石膏系建材であっても良く、異なる種類の石膏系建材により構成されていてもよい。
【００５１】
そして、一の石膏系建材１０の曲面部１３が設けられた端部の他方の面１１２に、他の石膏系建材５１の端部側面が突き合わされている。すなわち、一の石膏系建材１０の曲面部１３が設けられた１つの辺を含む端部の他方の面１１２側に、他の石膏系建材３１の端部側面を突き合わせている。これによりコーナー部材５０は角部分を曲面形状とすることができる。
【００５２】
一の石膏系建材１０と、他の石膏系建材５１と、を接着する方法は特に限定されるものではないが、接着材により接着することができ、接着材としては例えば、酢酸ビニル樹脂系エマルション接着材や無機系接着材等を好ましく用いることができる。この場合、酢酸ビニル樹脂系エマルション接着材としては例えば吉野サクビボンド（商品名）等を、無機系接着材としてはトラボンド（登録商標）等を好ましく用いることができる。
【００５３】
本実施形態のコーナー部材５０は、例えば図５に示すように、別途設けた石膏系建材５２、５３の間に配置し、石膏系建材５２、５３と接着することにより、現場で容易に出隅部構造を形成できる。コーナー部材５０と石膏系建材５２、５３とを接着する方法は特に限定されるものではないが、接着材により接着することができ、接着材としては例えば、酢酸ビニル樹脂系エマルション接着材や無機系接着材等を好ましく用いることができる。この場合、酢酸ビニル樹脂系エマルション接着材としては例えば吉野サクビボンド（商品名）等を、無機系接着材としてはトラボンド（登録商標）等を好ましく用いることができる。
【００５４】
以上に説明した本実施形態のコーナー部材５０においては、一の石膏系建材１０と他の石膏系建材５１とが面で接しており、かつ耐火物により構成されるため、係るコーナー部材５０は省令準耐火構造を構成することができる。
［第２の実施形態］
（石膏系建材）
本実施形態の石膏系建材について説明する。
【００５５】
本実施形態の石膏系建材は、扇柱形状を有する。
【００５６】
具体的な構成について、図６を用いて説明する。
【００５７】
図６は本実施形態の石膏系建材の構成例を示したものである。
【００５８】
図６に示すように、本実施形態の石膏系建材６０は扇柱形状を有している。すなわち、上面（底面）６１が扇形形状の柱状体であり、側面に２つの平面部６２、６３と、曲面部６４とを有している。
【００５９】
この際、上面（底面）６１は扇形形状であればよく、中心角の角度ｘや、直線部ａ、ｂの長さについては特に限定されるものではない。例えば、後述する出隅部構造やコーナー部材に用いる場合、出隅部構造やコーナー部材の角部に要求される形状等に応じて中心角の角度ｘを選択することができる。また、出隅部構造やコーナー部材を構成する、一対の板状形状を有する石膏系建材の厚さに対応するように直線部ａ、ｂの長さを選択することができる。すなわち、直線部ａ、ｂの長さは等しくても良く、異なっていても良い。
【００６０】
ただし、特に上面（底面）６１において、中心角の角度ｘは９０°であることが好ましく、直線部ａと直線部ｂの長さは等しいことが好ましい。すなわち、扇柱形状の石膏系建材の上面（底面）６１の形状は、１／４円形状であることが好ましい。上面（底面）６１が１／４円形状を有することにより、出隅部構造やコーナー部材を構成した場合に、角部を特に適切な曲面形状にでき、かつ、曲面の石膏系建材の厚み（１／４円弧形の半径）が局所的に不足し、耐火性能上の欠損部となる心配もない。
【００６１】
本実施形態の石膏系建材６０としては、特に限定されるものではないが、例えば、石膏ボード、強化石膏ボード、普通硬質石膏ボード、ガラスマット石膏ボード、ガラス繊維不織布入石膏板、スラグ石膏板等を挙げることができる。中でも表面が被覆されていないガラス繊維不織布入石膏板やスラグ石膏板は意匠性に優れている点で好ましい。
【００６２】
石膏系建材６０の比重は特に限定されるものではないが、比重が大きいものの方が曲面部の欠けを抑制できるため好ましい。具体的には例えば比重０．８以上であることが好ましい。より好ましくは比重１．０以上であり、特に十分な曲面部の欠けを抑制する効果を得られる。また、ガラス繊維等の補強材を石膏系建材６０に配合させておくことにより、曲面形状部の欠けを抑制することもできる。
【００６３】
石膏系建材６０のサイズは特に限定されるものではなく、施工する場所等に応じた任意のサイズとすることができる。
【００６４】
本実施形態の石膏系建材６０の製造方法は特に限定されるものではない。例えば図１に示した１つの辺１２を含む角部に面取りを施した曲面部１３を有する石膏系建材１０を形成した後、該１つの辺１２を含む角部に面取りを施した曲面部１３を含むように端部を切断し製造することができる。すなわち、例えば図１に示した石膏系建材１０の場合、線１６において切断することにより切断した曲面部１３を含む端部を本実施形態の石膏系建材６０とすることができる。また、図６に示した石膏系建材６０の形状となるように石膏泥漿を成型後、乾燥することにより製造することもできる。
【００６５】
本実施形態の石膏系建材６０においては、少なくとも曲面部６４では芯材である石膏硬化体が露出している。このため、本実施形態の石膏系建材においては、石膏硬化体が露出した部分、すなわち曲面部６４に、例えばプライマー等を塗布しておくことが好ましい。プライマーを石膏硬化体が露出した部分に塗布することにより、石膏硬化体の露出した部分が削れることを防止し、石膏系建材の表面にクロス（壁紙）等を貼る際にクロスとの接着性を高めることができる。なお、曲面部６４以外にも石膏硬化体が露出している場合には、該露出した面にも必要に応じてプライマー等を塗布することもできる。
【００６６】
本実施形態の石膏系建材６０によれば、容易に角部に曲面形状を有する出隅部を形成することができる。具体的には、例えば一対の板状形状を有する石膏系建材を用意し、該石膏系建材が端部の一辺で互いに接するように配置し、一対の石膏系建材の端部で挟まれた空間に本実施形態の石膏系建材を配置することにより、容易に角部に曲面形状を有する出隅部を形成できる。この場合、一対の石膏系建材は一辺で接しているのみであるが、耐火性を有する本実施形態の石膏系建材６０で、該一対の石膏系建材の接している辺を覆っているため、省令準耐火構造を構成することができる。
【００６７】
以上に説明した本実施形態の石膏系建材によれば、省令準耐火構造を構成できる出隅部を形成することが可能になる。
（出隅部構造）
本実施形態の出隅部構造の構成例について説明する。
【００６８】
本実施形態の出隅部構造は、一の石膏系建材と、他の石膏系建材と、本実施形態で説明した石膏系建材とを備えている。一の石膏系建材及び他の石膏系建材は板状形状を有している。そして、一の石膏系建材の端部と、他の石膏系建材の端部とが、一辺で接し、一の石膏系建材の端部と、他の石膏系建材の端部と、で挟まれた空間に、本実施形態で説明した石膏系建材が配置されている。
【００６９】
具体的な構造について、図７を用いて説明する。
【００７０】
図７に示すように、本実施形態の出隅部構造７０は、一の石膏系建材７１と、他の石膏系建材７２と、本実施形態で説明した石膏系建材６０と、を備えている。
【００７１】
一の石膏系建材７１、及び、他の石膏系建材７２は板状形状を有しており、本実施形態で説明した石膏系建材６０と接する端部については、図７に示したように平面形状を有していることが好ましい。一の石膏系建材７１の端部と他の石膏系建材７２の端部とが、一辺で接し、一の石膏系建材７１の端部と他の石膏系建材７２の端部とで挟まれた空間に扇柱形状の石膏系建材６０が配置されている。
【００７２】
すなわち、扇柱形状の石膏系建材６０の側面のうち、平面部６２に一の石膏系建材７１が、平面部６３に他の石膏系建材７２が接するように配置されている。
【００７３】
この際、石膏系建材６０と、一の石膏系建材７１及び他の石膏系建材７２と、の間は接着されていることが好ましい。石膏系建材６０と一の石膏系建材７１及び他の石膏系建材７２とを接着する方法は特に限定されるものではないが、接着材により接着することができる。接着材としては例えば、酢酸ビニル樹脂系エマルション接着材や無機系接着材等を好ましく用いることができる。この場合、酢酸ビニル樹脂系エマルション接着材としては例えば吉野サクビボンド（商品名）等を、無機系接着材としてはトラボンド（登録商標）等を好ましく用いることができる。
【００７４】
なお、一の石膏系建材７１、他の石膏系建材７２の種類としては特に限定されるものではないが、例えば、石膏ボード、強化石膏ボード、普通硬質石膏ボード、ガラスマット石膏ボード、ガラス繊維不織布入石膏板、スラグ石膏板等を用いることができる。中でも表面が被覆されていないガラス繊維不織布入石膏板やスラグ石膏板は意匠性に優れている点で好ましい。なお、一の石膏系建材７１、他の石膏系建材７２、扇柱形状の石膏系建材６０は、全て同じ種類の石膏系建材であっても良く、一部または全部が異なる種類の石膏系建材により構成されていてもよい。
【００７５】
以上に説明した本実施形態の出隅部構造７０においては、一の石膏系建材７１と他の石膏系建材７２とは一辺で接しているのみであるが、耐火性を有する本実施形態の石膏系建材６０で、一の石膏系建材７１と他の石膏系建材７２との接している辺を覆っている。このため、係る出隅部構造は省令準耐火構造を構成することができる。
（コーナー部材）
本実施形態のコーナー部材について説明する。
【００７６】
本実施形態のコーナー部材は、上述した石膏系建材を含んでいる。
【００７７】
本実施形態のコーナー部材は、例えば、図６に示した扇柱形状を有する石膏系建材のみにより構成することもできる。
【００７８】
また、上述した出隅部構造の場合と同様に、一の石膏系建材と、他の石膏系建材と、本実施形態で説明した石膏系建材とを備えた構成とすることもできる。この場合、一の石膏系建材及び他の石膏系建材は板状形状を有している。そして、一の石膏系建材の端部と、他の石膏系建材の端部とが、一辺で接し、一の石膏系建材の端部と、他の石膏系建材の端部と、で挟まれた空間に、本実施形態で説明した石膏系建材が配置されている。
【００７９】
まず、本実施形態のコーナー部材が図６に示した扇柱形状を有する石膏系建材のみにより構成される場合は、本実施形態で説明した石膏系建材と同様の構成を有しているため、ここでは説明を省略する。
【００８０】
この場合、図８に示すように、別途設けた石膏系建材８１、８２の間に扇柱形状を有する石膏系建材であるコーナー材８０を配置し、石膏系建材８１、８２と接着することにより、現場で容易に出隅部を形成できる。この場合、石膏系建材８１、８２は板状形状を有していることが好ましい。そして、石膏系建材８１の端部と、石膏系建材８２の端部とが、一辺で接するように配置し、コーナー部材８０は、石膏系建材８１、８２の端部で挟まれた空間に配置されることとなる。
【００８１】
コーナー部材８０と石膏系建材８１、８２とを接着する方法は特に限定されるものではないが、接着材により接着することができ、接着材としては例えば、酢酸ビニル樹脂系エマルション接着材や無機系接着材等を好ましく用いることができる。この場合、酢酸ビニル樹脂系エマルション接着材としては例えば吉野サクビボンド（商品名）等を、無機系接着材としてはトラボンド（登録商標）等を好ましく用いることができる。
【００８２】
以上に説明した本実施形態のコーナー部材８０を用いた出隅部においては、石膏系建材８１、８２は一辺で接しているのみであるが、耐火性を有するコーナー部材８０で、石膏系建材８１と他の石膏系建材８２との接している辺を覆っている。このため、係るコーナー部材８０は省令準耐火構造を構成することができる。
【００８３】
また、本実施形態のコーナー部材が、一の石膏系建材と、他の石膏系建材と、本実施形態で説明した石膏系建材とを備えた構成とすることもできる。
【００８４】
この場合の具体的な構造について、図９を用いて説明する。
【００８５】
図９に示すように、本実施形態のコーナー部材９０は、一の石膏系建材９１と、他の石膏系建材９２と、本実施形態で説明した石膏系建材６０と、を備えている。
【００８６】
一の石膏系建材９１、及び、他の石膏系建材９２は板状形状を有しており、一の石膏系建材９１の端部と他の石膏系建材９２の端部とが、一辺で接し、一の石膏系建材９１の端部と他の石膏系建材９２の端部とで挟まれた空間に扇柱形状の石膏系建材６０が配置されている。
【００８７】
すなわち、扇柱形状の石膏系建材６０の側面のうち、平面部６２に一の石膏系建材９１が、平面部６３に他の石膏系建材９２が接するように配置されている。
【００８８】
この際、石膏系建材６０と、一の石膏系建材９１及び他の石膏系建材９２と、の間は接着されていることが好ましい。石膏系建材６０と一の石膏系建材９１及び他の石膏系建材９２とを接着する方法は特に限定されるものではないが、接着材により接着することができる。接着材としては例えば、酢酸ビニル樹脂系エマルション接着材や無機系接着材等を好ましく用いることができる。この場合、酢酸ビニル樹脂系エマルション接着材としては例えば吉野サクビボンド（商品名）等を、無機系接着材としてはトラボンド（登録商標）等を好ましく用いることができる。
【００８９】
なお、一の石膏系建材９１、他の石膏系建材９２の種類としては特に限定されるものではないが、例えば、石膏ボード、強化石膏ボード、普通硬質石膏ボード、ガラスマット石膏ボード、ガラス繊維不織布入石膏板、スラグ石膏板等を用いることができる。中でも表面が被覆されていないガラス繊維不織布入石膏板やスラグ石膏板は意匠性に優れている点で好ましい。一の石膏系建材９１、他の石膏系建材９２、扇柱形状の石膏系建材６０は、全て同じ種類の石膏系建材であっても良く、一部または全部が異なる種類の石膏系建材により構成されていてもよい。
【００９０】
本実施形態のコーナー部材９０は、例えば図９に示すように、別途設けた石膏系建材９３、９４の間に配置し、石膏系建材９３、９４と接着することにより、現場で容易に出隅部を形成できる。コーナー部材９０と石膏系建材９３、９４とを接着する方法は特に限定されるものではないが、接着材により接着することができ、接着材としては例えば、酢酸ビニル樹脂系エマルション接着材や無機系接着材等を好ましく用いることができる。この場合、酢酸ビニル樹脂系エマルション接着材としては例えば吉野サクビボンド（商品名）等を、無機系接着材としてはトラボンド（登録商標）等を好ましく用いることができる。
【００９１】
以上に説明した本実施形態のコーナー部材９０においては、一の石膏系建材９１と他の石膏系建材９２とは一辺で接しているのみであるが、耐火性を有する石膏系建材６０で、石膏系建材９１と他の石膏系建材９２との接している辺を覆っている。このため、係るコーナー部材９０は省令準耐火構造を構成することができる。
【符号の説明】
【００９２】
１０、２０、６０  石膏系建材
１３、２１、６４  曲面部
３０、４０、７０  出隅部構造
５０、８０、９０  コーナー部材
【図１】
2014234639.tif 000003
【図２】
2014234639.tif 000004
【図３】
2014234639.tif 000005
【図４】
2014234639.tif 000006
【図５】
2014234639.tif 000007
【図６】
2014234639.tif 000008
【図７】
2014234639.tif 000009
【図８】
2014234639.tif 000010
【図９】
2014234639.tif 000011